(57)【特許請求の範囲】
【請求項１】
扱胴（３）を内装する扱室（２）における穀稈の供給口（７）の外方に、該供給口（７）に対向して飛散防止体（１３）を垂下して設け、該飛散防止体（１３）により脱穀作業中に発生する飛散物の扱室（２）外への飛散を防止する脱穀装置において、上記飛散防止体（１３）を、穀稈が飛散防止体（１３）を通過していない場合に、扱室２側に引き込まれることが無い程度の重量を備えた可撓性を有する柔軟材からなる供給口（７）側の柔軟体（２１）と、該柔軟体（２１）の外側に設けられ、穀稈の通過を許容する程度に軽量な耐摩耗性を有する耐摩耗材からなる耐摩耗体（１９）とを重合させて構成した脱穀装置における飛散防止体。
【請求項２】
耐摩耗体（１９）を、供給口（７）における扱胴（２）の前方のプーリカバー（１１）の下方突出部の最下点に対応する部分を覆うように配置した請求項１の脱穀装置における飛散防止体。
【発明の詳細な説明】
【０００１】
【発明の属する技術分野】
この発明は、脱穀装置の穀稈供給口からの穀粒等の飛散を防止する脱穀装置における飛散防止体に関する。
【０００２】
【従来の技術と発明が解決しようとする課題】
従来扱胴を内装する扱室における穀稈の供給口の外方に、該供給口に対向して可撓性を有するシート状の飛散防止体を垂下して設け、穀稈が扱室内に搬送されている際には、飛散防止体が扱室内側に撓み、扱室内への穀稈の導入を許容し、穀稈の扱室内への搬送終了後は、飛散防止体が供給口を塞ぎ、脱穀中の穀粒等が供給口から外部に飛散することを防止する脱穀装置が知られている。
【０００３】
しかし穀稈が飛散防止体に接しながら扱室内に搬送されるため、飛散防止体と穀稈との間に摩擦が発生し、飛散防止体の摩耗が早期に発生するという欠点があった。この欠点を避けるために、摩耗に強い性状の材料により飛散防止体を形成する手段が考えられる。
【０００４】
ただしこの場合当該材料は表面が硬く、穀稈の搬送時の抵抗となるため、容易に撓む厚さにする必要があるが、扱室内には、選別風や扱胴の回転等により飛散防止体を扱室側に引き込む力が発生するため、上記摩耗に強い材質の飛散防止体の場合、穀稈の搬送終了時には飛散防止体が扱室側に容易に引き込まれ、供給口が開き穀粒等が飛散するという欠点があった。
【０００５】
【課題を解決するための手段】
上記課題を解決するための本発明の脱穀装置における飛散防止体は、扱胴３を内装する扱室２における穀稈の供給口７の外方に、該供給口７に対向して飛散防止体１３を垂下して設け、該飛散防止体１３により脱穀作業中に発生する飛散物の扱室２外への飛散を防止する脱穀装置において、上記飛散防止体１３を、穀稈が飛散防止体１３を通過していない場合に、扱室２側に引き込まれることが無い程度の重量を備えた可撓性を有する柔軟材からなる供給口７側の柔軟体２１と、該柔軟体２１の外側に設けられ、穀稈の通過を許容する程度に軽量な耐摩耗性を有する耐摩耗材からなる耐摩耗体１９とを重合させて構成したことを第１の特徴としている。
【０００６】
また耐摩耗体１９を、供給口７における扱胴２の前方のプーリカバー１１の下方突出部の最下点に対応する部分を覆うように配置したことを第２の特徴としている。
【０００７】
【発明の実施の形態】
図１及び図２は、本発明の飛散防止体を採用した脱穀装置の側面図及び正面図であり、従来同様選別室１の上方に配置された扱室２内には扱胴３が回転駆動自在に軸支されており、脱穀装置の側壁４の側方に配置されたフィードチェーン６により搬送される穀稈を、扱室２の前方に形成された穀稈の供給口７から扱室２内に搬送して扱胴３により脱穀し、選別室１側において選別する従来公知の構造となっている。
【０００８】
なお上記扱胴３は、該扱胴３を支持する支持軸８の前端部分に取り付けられたプーリ９を介して駆動力が入力されるように構成されており、該プーリ９の前方はプーリカバー１１により覆われている。このときプーリカバー１１の下縁部１１ａは、プーリ９の下端を覆うように、プーリ９の下端に対応する部分が下方に突出するように湾曲して形成されている。
【０００９】
また上記供給口７の前方からは、プーリカバー１１の下方において穀稈を供給口７に案内する穀稈の供給漏斗１２が設けられており、該供給漏斗１２は正面視においてプーリカバー１１の下縁部１１ａに沿って下方に突出するように湾曲している。
【００１０】
さらに上記供給口７の外方には、該供給口７に対向して可撓性を有するシート状の飛散防止体１３が、脱穀装置の前面カバー１４側に取り付けられて、供給漏斗１２の上面に向かって垂下して設けられている。このとき飛散防止体１３の下端は供給漏斗１２の上面に接してわずかに内側に湾曲している。
【００１１】
以上により穀稈は、穂先側が反フィードチェーン側（扱胴３の支持軸８側）に向けられた状態で株元側がフィードチェーン６によって挟持されて供給漏斗１２を介して供給口７側に搬送されるが、供給漏斗１２の途中に飛散防止体１３が位置するため、穀稈の進行により穀稈自身が飛散防止体１３と接して飛散防止体１３を扱室２側に傾斜揺動させて供給口７に搬送される。
【００１２】
一方上記飛散防止体１３は、図２，図３に示されるように、供給口７におけるフィードチェーン６側を覆う株元側カバー１６と、フィードチェーン７の反対側となる穂先側を覆う穂先側カバー１７と、株元側カバー１６と穂先側カバー１７との間の隙間を覆う中間カバー１８とが、一部が重複して隙間ができないように配置されているとともに、株元側カバー１６と中間カバー１８の外側に、両カバー１６，１８に重複するように外カバー１９が配置された内外２重構成となっている。
【００１３】
そして外カバー１９より内側に位置する内カバー２１を構成する上記株元側カバー１６と中間カバー１８、及び穂先側カバー１７が、柔軟で可撓性が高い柔軟材であるゴム材を材料に形成されており、外カバー１９が繊維等を多く含み、穀稈等との当接時の摩擦に対する摩耗に強い耐摩耗材を材料に形成されている。
【００１４】
このとき扱室２内には、扱胴の回転等により飛散防止体１３を扱室２側に引き込む力が発生するため、内カバー２１及び穂先側カバー１７は、この扱室２側の引込み力によって容易に引き込まれない程度の重量（厚さ）を備えている。なお内カバー２１及び穂先側カバー１７は、柔軟材により形成されているため、上記のように厚さ及び重量が比較的大きい場合であっても容易に撓み、穀稈の通過時に大きな抵抗とならない。また外カバー１９は穀稈の通過時に大きな抵抗とならないように、容易に撓む程度の重量（厚さ）となっている。
【００１５】
また外カバー１９は、上記プーリカバー１１の下方突出部の最下点に対応する供給漏斗１２の湾曲最下部の近傍からフィードチェーン６の側方近傍位置までの供給口７に対応する部分を覆っている。そして外カバー１９の下端縁位置は、外カバー１９に対応する内カバー２１の下端縁と一致している。
【００１６】
以上に示される構成により、穀稈が扱室２内に連続して供給されている場合、飛散防止体１３の外カバー１９及び株元側カバー１６，中間カバー１８，穂先側カバー１７の穀稈が当接するカバーが、当接する穀稈により扱室２側に傾斜揺動せしめられる。
【００１７】
この際外カバー１９及び株元側カバー１６，中間カバー１８，穂先側カバー１７は、上記のように容易に撓むように構成されているため、飛散防止体１３が上記搬送経路を通過する穀稈の大きな抵抗（飛散防止体１３通過時の負荷）となることは無く、穀稈は扱室２内に容易に搬送される。
【００１８】
このとき飛散防止体１３は、外カバー１９が存在する部分においては耐摩耗材により形成される外カバー１９が穀稈に直接当接するため、穀稈との当接による飛散防止体１３（外カバー１９）の摩耗が防止されるが、特に穀稈の中間部分が通過するとともに、開口範囲が比較的小さいため稈ボリュームが最も多くなり、穀稈との摩擦が最も大きくなる、プーリカバー１１の下方突出部の最下点の下方側の近傍を外カバー１９が覆うため、穀稈からの摩擦力を最も大きく受ける部分の摩耗が外カバー１９により防止される。
【００１９】
そして上記外カバー１９による摩耗の防止構造によって、飛散防止体１３側にかかる穀稈からの力を外カバー１９が受けることとなり、穂先側カバー１７等の飛散防止体１３における外カバー１９が存在しない部分、例えば穂先側カバー１７や中間カバー１８の一部が穀稈と直接当接しても、上記部分が早期に摩耗することや、飛散防止体１３の割れ等の破損等も防止される。
【００２０】
このとき外カバー１９と該外カバー１９に対応する内カバー２１の下端縁が一致しており、両者の長さが揃っているため、外カバー１９に相対する内カバー２１と穀稈との当接が確実に防止され、穀稈による内カバー２１の磨耗が防止される。
【００２１】
なお図４，図５に示されるように、外カバー１９を上記プーリカバー１１の下方突出部の最下点に対応する供給漏斗１２の湾曲最下部の近傍のみを覆うように構成しても、前述のように穀稈から最も摩擦力を受ける部分を外カバー１９が受けることとなり、上記同様に飛散防止体１３の摩耗や破損等を防止することができる。
【００２２】
この場合外カバー１９を小さくすることができるため、コストダウンを図ることはできるが、穀稈と当接する外カバー１９の範囲が前述の実施形態に比較して小さいため、前述のように外カバー１９の範囲が広いものに比較して上記摩耗等の防止効果は低下する。
【００２３】
一方穀稈の飛散防止体１３の通過が終了しても、扱室２内に供給された穀稈の脱穀が終了するまで、扱室２内の穀稈の脱穀作業は一定時間継続され、この場合は、飛散防止体１３が供給口７を覆うため、扱室２の供給口７の近くで脱穀されて供給口７側に飛散する穀粒や塵芥等の飛散物が飛散防止体１３に当たって扱室２内に戻され、すなわち上記飛散物の扱室２の外への飛散が防止される。
【００２４】
このとき内カバー２１及び穂先側カバー１７は、扱室２側の引込み力では容易に扱室２側に引き込まれないため、穀稈が飛散防止体１３を通過していない場合であっても、内カバー２１及び穂先側カバー１７が扱室２側に引き込まれることは無く、上記飛散物の扱室２の外への飛散が防止される。
【００２５】
なおゴム材からなるカバーは、上記のように３つに分割構成されているため、穀稈の流通中において、上記３つのカバー１６，１７，１８を通過する際の飛散防止体１３から穀稈への抵抗がより小さくなり、穀稈は円滑に供給口７側に搬送され、また穀稈の長さ等に応じて穀稈が通過しない部分（例えば穂先側カバー１７）は、そのまま垂下姿勢を維持し、穀稈の流通中の上記飛散物の扱室外への飛散が防止される。
【００２６】
上記外カバー１９は、穀稈により容易に撓む程度の厚さに形成されているが、このため仮に内カバー２１が存在しないと、扱室側からの引き込み力により、扱室側に引き込まれる。しかし本実施形態の場合内カバー２１により、外カバー１９が引き込まれることは無く、換言すると内カバー２１により、外カバー１９を、穀稈が容易に通過できるように薄く軽量に形成することが可能となっており、穀稈を容易に通過させるためのスリット等を外カバー２１に形成する必要が無く、穀粒等の飛散をより効果的に防止することができる。
【００２７】
【発明の効果】
以上のように構成される本発明の構造によると、穀稈が飛散防止体を通過する際は、飛散防止体の外側の耐摩耗体が穀稈と接するため、該穀稈との摩擦に対する摩耗が防止され、これにより柔軟体の穀稈との当接による摩耗の考慮が概ね不要となるため、柔軟体を扱胴の回転等により扱室側に発生する力により扱室側に容易に引き込まれない重量（厚さサイズ）にすることができる。
【００２８】
また上記柔軟体により耐摩耗体の扱室への引き込まれを概ね考慮する必要が不要となり、耐摩耗体を穀稈の通過時に大きな抵抗とならないように、当接する穀稈によって容易に撓む程度の重量（厚さサイズ）とすることができる。
【００２９】
以上により穀稈の通過時には、穀稈との当接による摩耗が防止されると共に、穀稈により容易に撓み、円滑に穀稈を供給口に搬送させることができ、且つ穀稈の非流通時には、扱室側に引き込まれること無く供給口を覆い、扱胴による脱穀の際に供給口側に飛散する穀粒等の飛散物の扱室外への飛散を防止することができる飛散防止体を提供することが可能となるという効果がある。
【００３０】
特に耐摩耗体を供給口のプーリカバーの下方突出部の最下点に対応する部分の近傍を覆うように構成することにより、供給口において穀稈の中間部分が通過するとともに、開口範囲が比較的小さいため稈ボリュームが最も多くなり、穀稈との摩擦が最も大きくなる部分が耐摩耗体によりカバーされ、飛散防止体における穀稈からの摩擦力を最も大きく受ける部分の摩耗が耐摩耗体により防止される。
【００３１】
そして上記耐摩耗体による摩耗の防止構造によって、飛散防止体側にかかる穀稈からの力を耐摩耗体が受けることとなり、飛散防止体における耐摩耗体が存在しない部分が穀稈と直接当接しても、当該当接部分が早期に摩耗することや、飛散防止体の割れ等の破損等が防止される。
【図面の簡単な説明】
【図１】脱穀装置の側面概略図である。
【図２】脱穀装置の正面概略図である。
【図３】図２のＡ−Ａ断面図である。
【図４】外カバーの他の実施形態を示す脱穀装置の正面概略図である。
【図５】図４のＡ−Ａ断面図である。
【符号の説明】
２    扱室
３    扱胴
７    供給口
１１    プーリカバー
１３    飛散防止体
１９    外カバー（耐摩耗体）
２１    内カバー（柔軟体）
【図１】
0003730175.tif 000002
【図２】
0003730175.tif 000003
【図３】
0003730175.tif 000004
【図４】
0003730175.tif 000005
【図５】
0003730175.tif 000006